(57)【特許請求の範囲】
【請求項１】
内部に挿入したワイヤーハーネスを外周側から覆う管状に形成したハーネス保護管本体を有するワイヤーハーネス保護管であって、
前記ワイヤーハーネス保護管本体の管外周面に管軸方向に沿った形状のリブと、
前記ワイヤーハーネス保護管本体の管軸方向における、前記ワイヤーハーネスを車体側に固定するワイヤーハーネス固定用治具を取り付ける所定の取付け部分に、前記ワイヤーハーネス保護管本体の周方向における、前記ワイヤーハーネス保護管本体の外周面と前記リブとによる径方向の段差を軽減する段差軽減手段とを備え、
前記段差軽減手段を、前記ワイヤーハーネス保護管本体の周方向における前記リブの形成部分以外の部分を該リブと略同じ高さにまで突出した保護管本体凸状部で構成した
ワイヤーハーネス保護管。
【請求項２】
前記ワイヤーハーネス保護管本体を直線状に形成した
請求項１に記載のワイヤーハーネス保護管。
【請求項３】
請求項１または２に記載のワイヤーハーネス保護管と、屈曲自在な蛇腹状ワイヤーハーネス保護管とを管軸方向において連結した
ワイヤーハーネス保護部材。
【発明の詳細な説明】
【技術分野】
【０００１】
この発明は、車両に配索するワイヤーハーネスを外側から覆って保護するワイヤーハーネス保護具、及びワイヤーハーネス保護部材に関し、詳しくは、ワイヤーハーネスを挿通して保護するワイヤーハーネス保護管、及びワイヤーハーネス保護部材に関する。
【背景技術】
【０００２】
ワイヤーハーネスは、自動車の車両に適宜、配索され、例えば、車両床下に配索した場合には、路面から跳ねた飛び石などが衝突して損傷しないように、飛び石などの外的要因に対してしっかりと保護管によって保護する必要がある。
【０００３】
また、ワイヤーハーネスは、車両の凹凸形状に追従して配索する必要があり、直線部分と屈曲部分とが組み合わさった２次元的、又は、３次元的な複雑な配索経路で配索される場合が多い。このような配索経路で配索する場合であっても、特に、ハイブリッド車や電気自動車などでは、ワイヤーハーネスは、高圧電線を含む電線群から構成されるため、図９に示すように、配索経路全長に亘ってワイヤーハーネスをしっかりと保護具２００によって保護する必要がある。
【０００４】
このようなワイヤーハーネスを保護するためのハーネス保護具としては、様々なものが実用化されており、例えば、特許文献１においてコルゲートチューブが提案されている。  
特許文献１のコルゲートチューブは、軸方向に沿って凹部と凸部とが交互に形成された蛇腹状に構成され、屈曲自在に構成している。このため、屈曲部分の曲率に応じて柔軟に屈曲させて配索することができる。
【０００５】
また、その他のハーネス保護具として、形状保持性に優れたいわゆる硬質ワイヤーハーネス保護管も実用化されている。このような硬質ワイヤーハーネス保護管は、形状保持性を確保するために、管軸方向全長に亘って肉厚を厚く形成しているものが多い。
【０００６】
このため、硬質ワイヤーハーネス保護管は、不測に屈曲したり、圧縮せずにワイヤーハーネスをしっかりと保護することができるとともに、ワイヤーハーネスの配索ルートに応じた所定形状のものを配索経路に沿って配置することで、車両側に対して正確、且つ、容易に取り付けることができる。
【０００７】
しかし、このような硬質ワイヤーハーネス保護管は、肉厚が厚いため、管軸方向の長さが長くなるに伴って管構成材料の使用量が嵩むため、軽量化やコストの削減を図れなかった。一方、管の肉厚を薄肉化した場合には、形状を保持することができず、不測に屈曲したり、圧縮したりして内部に挿入したワイヤーハーネスを十分に保護することができなかった。
【先行技術文献】
【特許文献】
【０００８】
【特許文献１】特開２００２−１４２３２７号公報
【発明の概要】
【発明が解決しようとする課題】
【０００９】
そこでこの発明は、ワイヤーハーネスをしっかりと保護しつつ、従来のワイヤーハーネス保護具よりも軽量化やコストの削減を図ることができるワイヤーハーネス保護管、及び、ワイヤーハーネス保護部材の提供を目的とする。
【課題を解決するための手段】
【００１０】
この発明は、内部に挿入したワイヤーハーネスを外周側から覆う管状に形成したハーネス保護管本体を有するワイヤーハーネス保護管であって、前記ワイヤーハーネス保護管本体の管外周面に管軸方向に沿った形状のリブと、前記ワイヤーハーネス保護管本体の管軸方向における、前記ワイヤーハーネスを車体側に固定するワイヤーハーネス固定用治具を取り付ける所定の取付け部分に、前記ワイヤーハーネス保護管本体の周方向における、前記ワイヤーハーネス保護管本体の外周面と前記リブとによる径方向の段差を軽減する段差軽減手段とを備え、前記段差軽減手段を、前記ワイヤーハーネス保護管本体の周方向における前記リブの形成部分以外の部分を該リブと略同じ高さにまで突出した保護管本体凸状部で構成したことを特徴とする。
【００１１】
前記管軸方向に沿った形状のリブとは、ワイヤーハーネス保護管本体の管軸方向の成分と、該管軸方向に直交する管周方向の成分のうち、少なくとも管軸方向成分を有する形状のリブであり、例えば、管軸方向に平行なリブを示す。
【００１２】
前記リブは、前記ワイヤーハーネス保護管本体の管外周面に対して例えば、成形や溶接などにより、一体に形成した構成に限らず、着脱自在な構成であってもよい。
【００１３】
リブをワイヤーハーネス保護管本体に対して着脱可能な構成としては、例えば、ワイヤーハーネス保護管本体とリブとの接触部分に、これらワイヤーハーネス保護管本体とリブとを互いに取り付け可能とする係合部を備えた構成などを挙げることができるが、特に限定しない。
【００１４】
前記リブは、前記ワイヤーハーネス保護管本体の管外周面に対して１つ、又は複数備えることができ、複数備える場合には、前記ワイヤーハーネス保護管本体の管周方向を等分配するよう配置することが好ましい。
【００１５】
さらに、前記リブは、前記ワイヤーハーネス保護管本体の外周面において、例えば、管軸方向に沿って螺旋状に形成するなど、管軸方向に沿って直線状に形成するに限らず、管軸方向に沿って形成した途中部分で屈曲したり、湾曲した形状であってもよい。
【００１６】
前記保護管本体凸状部は、前記リブと略面一の高さになるまで前記ワイヤーハーネス保護管本体に対して凸状に形成することが好ましいが、この構成に限定しない。さらに、前記保護管本体凸状部は、リブとともに管周方向全体に凸状であるに限らず、管周方向において部分的に凸状である構成も含む。
【００１７】
この発明により、前記ワイヤーハーネス保護管本体の管外周面に管軸方向に沿った形状のリブを形成することで、ワイヤーハーネスをしっかりと保護しつつ、従来のワイヤーハーネス保護具よりも軽量化やコストの削減を図ることができる。
【００１８】
詳しくは、上述したように、リブを前記ワイヤーハーネス保護管本体の管外周面に管軸方向に沿って形成することで、上述した形状のリブを備えていない従来のワイヤーハーネス保護管と比較して圧縮荷重に対して圧縮しないことは勿論、曲げ応力に対しても屈曲変形せずに形状を保持する形状保持機能を、格段に向上させることができる。
【００１９】
よって、しっかりと内部に挿入したワイヤーハーネスを保護することができる。
【００２０】
さらに、ワイヤーハーネス保護管本体の管外周面に前記リブを形成することで、ワイヤーハーネス保護管本体の周方向全体の肉厚を厚く形成せずとも、効率的にワイヤーハーネス保護管本体の形状保持機能を向上させることができる。
【００２１】
よって、ワイヤーハーネス保護管本体の管周方向におけるリブを形成していない部分を薄肉化することができ、外周全体の肉厚を厚く形成することで強度を確保していた従来のワイヤーハーネス保護管と比較して、構成材料を削減することができるため、軽量化を図ることができるとともに、コストを削減することができる。
【００２２】
このように上述した構成により、ワイヤーハーネスをしっかりと保護しつつ、従来のワイヤーハーネス保護具よりも軽量化やコストダウンを図ることができ、環境にも配慮したワイヤーハーネス保護管を提供することができる。
【００２３】
なお、例えば、前記リブを前記ワイヤーハーネス保護管本体に対して着脱自在に構成した場合、用途に応じて取り外したり、前記ワイヤーハーネス保護管本体に対する取り付け箇所を変更したりすることができる。
【００２４】
また、前記ワイヤーハーネス保護管本体の管軸方向における、前記ワイヤーハーネスを車体側に固定するワイヤーハーネス固定用治具を取り付ける所定の取付け部分に、前記ワイヤーハーネス保護管本体の周方向における、前記ワイヤーハーネス保護管本体の外周面と前記リブとによる径方向の段差を軽減する段差軽減手段を備えることより、前記ワイヤーハーネス保護管の管軸方向における、ワイヤーハーネス固定用治具を取り付ける所定の取付け部分において、ワイヤーハーネス固定用治具を、前記ワイヤーハーネス保護管に対して、ワイヤーハーネス保護管本体の周方向に沿って広い接触面を確保した状態でしっかりと安定して取り付けることができる。
【００２５】
さらにまた、前記段差軽減手段を、前記ワイヤーハーネス保護管本体の周方向における前記リブの形成部分以外の部分を該リブと略同じ高さにまで突出した保護管本体凸状部で構成することにより、ワイヤーハーネス固定用治具を前記ワイヤーハーネス保護管本体に対して取り付ける所定部分において、保護管本体凸状部を構成しているため、前記ワイヤーハーネス固定用治具を前記ワイヤーハーネス保護管の周方向に沿って取り付ける際に、ワイヤーハーネス固定用治具の取付け部分を、保護管本体凸状部およびリブに対して前記ワイヤーハーネス保護管の周方向に沿って面接触した状態でしっかりと取り付けることができる。
【００２６】
さらに、前記保護管本体凸状部は、ワイヤーハーネス保護管本体に対して管周方向に沿って突出した形状となるため、リブとしての機能も発揮し、管軸方向に沿った形状の前記リブとともに、ワイヤーハーネス保護管の形状保持機能をより一層、向上させることができる。
【００２７】
またこの発明の態様として、前記ワイヤーハーネス保護管本体を直線状に形成することができる。
【００２８】
これにより、ワイヤーハーネスを直線状に配索した直線状の配索部分において、例えば、曲げ応力が作用してもワイヤーハーネスをしっかりと保護することができる。さらに、直線状の前記ワイヤーハーネス保護管本体が長尺化するに従って、前記ワイヤーハーネス保護管本体の薄肉化により軽量化や材料コストの削減を図ることができるという効果をより顕著に得ることができる。
【００２９】
またこの発明は、前記ワイヤーハーネス保護管と屈曲自在な蛇腹状ワイヤーハーネス保護管とを管軸方向において連結したワイヤーハーネス保護部材であることを特徴とする。
【００３０】
前記ワイヤーハーネス保護管と前記蛇腹状ワイヤーハーネス保護管とは、溶接、着脱不能な嵌合、或いは、予め成形より互いに一体に連結した構成に限らず、前記ワイヤーハーネス保護管と前記蛇腹状ワイヤーハーネス保護管とを互いに着脱自在に、例えば、螺合、係合、或いは、着脱可能な嵌合などによって連結した構成であってもよい。
【００３１】
また、前記ワイヤーハーネス保護管は、前記ワイヤーハーネス保護管直線箇所に適用するに限らず、前記ワイヤーハーネス保護管屈曲箇所に適用してもよい。
一方、前記蛇腹状ワイヤーハーネス保護管は、ワイヤーハーネスの曲線状の配索経路に配置するワイヤーハーネス保護管屈曲箇所に適用するに限らず、ワイヤーハーネスの直線状の配索経路に配置するワイヤーハーネス保護管直線箇所に適用してもよい。
【００３２】
この発明により、ワイヤーハーネスを直線部分や屈曲部分などが組み合わさった３次元の配索経路に沿って配索する場合であっても、配索経路における直線部分は、形状保持性に優れた前記ワイヤーハーネス保護管によってしっかりと保護するとともに、屈曲部分は、その屈曲部分の形状に柔軟に屈曲させて配索することができる前記蛇腹状ワイヤーハーネス保護管により保護することができる。
【００３３】
従って、ワイヤーハーネスの配索部分の形状や、ワイヤーハーネス保護具の特性に応じて効率的、且つ、しっかりとワイヤーハーネスを保護することができる。
【発明の効果】
【００３４】
この発明により、ワイヤーハーネスをしっかりと保護しつつ、従来のワイヤーハーネス保護具よりも軽量化やコストダウンを図ることができるワイヤーハーネス保護管、及び、ワイヤーハーネス保護部材を提供することができる。
【図面の簡単な説明】
【００３５】
【図１】ワイヤーハーネス保護部材の構成説明図。
【図２】ワイヤーハーネス保護部材の一部拡大図。
【図３】ワイヤーハーネス保護管の構成説明図。
【図４】ワイヤーハーネス保護管の外観図。
【図５】ワイヤーハーネス保護管の使用状態を示す説明図。
【図６】第２実施形態のワイヤーハーネス保護管の構成説明図。
【図７】第３実施形態のワイヤーハーネス保護管の一部拡大図。
【図８】他の実施形態のワイヤーハーネス保護管の構成説明図。
【図９】従来のワイヤーハーネス保護部材の構成説明図。
【発明を実施するための最良の形態】
【００３６】
この発明の一実施例を以下図面に基づいて説明する。  
（第１実施形態）  
第１実施形態のハーネス保護部材１０Ａは、車両、特に電気自動車やハイブリッド自動車のバッテリ、モータなどの装置間を電気的に接続するワイヤーハーネスを保護する管状に構成した保護具である。
【００３７】
詳述すると、ハーネス保護部材１０Ａの保護対象となるワイヤーハーネスは、図示しないが、複数の電線群を束ねて構成し、車両の定められた取付位置の凹凸形状に応じて直線部分と屈曲部分とが組み合わさった２次元又は、３次元の凹凸形状で、例えば、車両床下に配索している。
ハーネス保護部材１０Ａは、ワイヤーハーネスを外周側から覆った状態となるように内部空間へのワイヤーハーネスの挿入を許容し、図１（ａ）に示すように、ハーネス保護管１２（１２Ａ）と蛇腹状ハーネス保護管２３とを直列に一体に連結して構成している。
【００３８】
ハーネス保護部材１０Ａは、図１（ｂ）に示すように、上述したワイヤーハーネスの凹凸形状の配索経路に沿って適宜、蛇腹状ハーネス保護管２３を屈曲させるなどして該蛇腹状ハーネス保護管２３をワイヤーハーネスの配索経路の曲線部分の曲率に応じて屈曲させて配置するとともに、ハーネス保護管１２Ａをワイヤーハーネスの配索経路の直線部分に配置している。
これにより、ハーネス保護部材１０Ａは、図１（ｂ）に示すように、管軸方向Ｄ１に沿って、直線状のハーネス保護部材直線箇所４１Ｌと曲線状のハーネス保護部材屈曲箇所４１Ｒとを適宜有した配置形態としている。
すなわち、ハーネス保護管１２Ａは、ハーネス保護部材直線箇所４１Ｌに配置し、蛇腹状ハーネス保護管２３は、ハーネス保護部材屈曲箇所４１Ｒに配置している。
【００３９】
また、ハーネス保護部材１０Ａは、管軸方向Ｄ１の所定間隔ごとにアンカークランプ５２によって車両側に固定し、上述した凹凸形状の状態を保っている。  
なお、図１（ａ）は、ハーネス保護部材１０Ａの管軸方向Ｄ１の一部分の側面図を示し、図１（ｂ）は、ワイヤーハーネスの配索経路に追従するようにハーネス保護部材１０Ａを配置した構成を示している。
【００４０】
ハーネス保護管１２Ａは、硬質な合成樹脂材料で形成し、図２及至図４に示すように、円筒状に構成したハーネス保護管本体１４と、該ハーネス保護管本体１４の管外周面１４Ｓに管軸方向Ｄ１に沿った形状のリブ１５とを一体に成形した構成である。
【００４１】
なお、図２及至図４は、ハーネス保護部材１０Ａ、及び、ハーネス保護管１２Ａの構成説明図であり、詳しくは、図２（ａ）は図１（ａ）中のＸ部拡大図であり、図２（ｂ）は図１（ｂ）中のＹ部拡大図であり、図２（ｃ）は図１（ｂ）中のＺ部拡大図である。図３（ａ）は図２（ａ）中のＡ−Ａ線断面図、図３（ｂ）は図３（ａ）中のＳ部拡大図を示している。図３（ｃ）は図２（ｂ）中のＢ−Ｂ線断面図を示している。図４は、ハーネス保護管１２Ａの管軸方向Ｄ１の一部分の外観図を示し、図５は、アンカークランプ５２を取り付けた状態のハーネス保護管１２Ａの一部分の外観図を示し、アンカークランプ５２を車両側に取り付けようとしている様子を示す外観図である。
【００４２】
ハーネス保護管本体１４は、例えば、８本のシールド電線を束ねたワイヤーハーネス１００の挿入を許容する内径を有した内部空間を備え、管軸方向Ｄ１に対しての直交断面が正円である円筒状に構成している。  
リブ１５は、ハーネス保護管本体１４の半径方向外側に、該ハーネス保護管本体１４の外周面に対して断面視四角形状で突出している。ハーネス保護部材１０Ａを管軸方向Ｄ１に対して直交する直交断面視したとき、ハーネス保護管本体１４の管周方向Ｄ２を３等分配する各位置、詳しくは、管周方向Ｄ２において１２０°の間隔を隔てた３つの位置に配設している。
【００４３】
さらに、リブ１５は、ハーネス保護管本体１４の管軸方向Ｄ１に沿って形成している。  
詳しくは、管周方向Ｄ２において等分配した３つのリブ１５は、いずれもハーネス保護管本体１４の管軸方向Ｄ１と一致するとともに、互いに平行になるよう直線状に形成している。リブ１５は、図２（ａ）、図３（ａ）、及び、図４に示すように、管軸方向Ｄ１におけるアンカークランプ５２をハーネス保護管本体１４に対して取り付けるアンカークランプ取付箇所１８を凹状に形成したリブ凹状部１６を構成している。
【００４４】
なお、アンカークランプ取付箇所１８は、アンカークランプ５２をハーネス保護管本体１４に対して取り付ける所定の取付け部分であり、例えば、管軸方向Ｄ１において所定間隔ごとの各部分を取り付け部分としている。
【００４５】
リブ凹状部１６は、３つのリブ１５の管軸方向Ｄ１において、それぞれ互いに一致する所定位置ごとに形成している。これにより、３つのリブ１５は、管軸方向Ｄ１においてリブ凹状部１６によって分断され、管軸方向Ｄ１に断続的な形状で形成している。
【００４６】
さらに、リブ凹状部１６は、ハーネス保護管本体１４の外周面と略面一となる深さになるまで凹状に形成し、リブ凹状部１６の管軸方向Ｄ１の幅は、アンカークランプ５２における、ワイヤーハーネス１００側に取り付けるバンド部５４ａの幅を備えた構成である。
【００４７】
また、蛇腹状ハーネス保護管２３は、全周を凸状に形成した凸状部２３ａと、全周を凹状に形成した凹状部２３ｂとを管軸方向Ｄ１に交互に形成した蛇腹形状であり、上述したとおり、屈曲自在に構成している。
【００４８】
なお、アンカークランプ５２は、ワイヤーハーネス１００を例えば、車両パネル５６などの車両側に固定するためのワイヤーハーネス固定用治具であり、本体部５３、ハーネス取付け部５４、及び、車体側挿着部５５で構成している。ハーネス取付け部５４は、少なくともハーネス保護管本体１４の外周長さを有するバンド部５４ａと、バンド部５４ａをハーネス保護管本体１４の外周に巻き回した状態で係着するバックル５４ｂとで構成している。車体側挿着部５５車体パネルの挿着孔５６に挿入して係止することを許容する支柱部５５ａと脚部５５ｂとで正面視いかり形状で構成している。
【００４９】
上述したハーネス保護部材１０Ａは、以下のような様々な作用、効果を奏することができる。  
ハーネス保護部材１０Ａは、リブ１５をハーネス保護管本体１４の管外周面１４Ｓに管軸方向Ｄ１に沿って形成することで、例えば、リブ１５を有さずに平滑な外周面であり、肉厚を厚く形成した硬質管や、管軸方向Ｄ１に沿って凹状部と凸状部とを交互に形成したコルゲート管などの従来のハーネス保護具と比較して圧縮荷重に対して圧縮しないのは勿論、曲げ応力に対しても屈曲変形せずに形状を保持する形状保持機能を格段に向上させることができる。  
よって、ハーネス保護管本体１４の内部空間に挿入したワイヤーハーネス１００をしっかりと保護することができる。
【００５０】
さらに、ハーネス保護管本体１４の管外周面１４Ｓに上述したようなリブ１５を形成することで、ハーネス保護管本体１４の管周方向Ｄ２全体の肉厚を厚く形成せずとも、効率的にハーネス保護管本体１４の形状保持機能を向上させることができる。
【００５１】
よって、図３（ａ）、及び、図３（ｂ）に示すように、ハーネス保護管本体１４の外周面にリブ１５を有さずに、外周全体の肉厚を厚く形成することで強度を確保していた平滑な外周面を有する従来のハーネス保護部材２００の肉厚ｔ’と比較して、ハーネス保護管本体１４の管周方向Ｄ２におけるリブ１５を形成していない部分の肉厚ｔを薄肉化することができ、構成材料を削減することができるため、軽量化を図ることができるとともに、コストを削減することができる。
【００５２】
従って、ワイヤーハーネス１００をしっかりと保護しつつ、従来のワイヤーハーネス保護具２００よりも軽量化やコストダウンを図ることができ、環境にも配慮したハーネス保護部材１０Ａ、及び、ハーネス保護管１２Ａを提供することができる。
【００５３】
また、ハーネス保護管１２Ａは、管軸方向Ｄ１におけるアンカークランプ取付箇所１８において、リブ凹状部１６を構成しているため、リブ凹状部１６に相当する部分をハーネス保護管本体１４の外周面と略面一とすることができる。
【００５４】
これにより、アンカークランプ取付箇所１８のハーネス保護管本体１４の管周方向Ｄ２において、ハーネス保護管本体１４の外周面とリブ１５とによる段差を解消することができる。
【００５５】
よって、アンカークランプ５２のハーネス取付け部５４をハーネス保護部材１０Ａのアンカークランプ取付箇所１８に、管周方向Ｄ２に沿って取り付ける際に、図３（ｃ）に示すように、アンカークランプ５２のバンド部５４ａをハーネス保護管本体１４に巻き回した際に、該バンド部５４ａがリブ１５と干渉することなく、アンカークランプ５２のハーネス取付け部５４をハーネス保護管本体１４の外周面に対して面接触面積した状態でしっかりと取り付けることができる。
【００５６】
さらに、アンカークランプ５２のハーネス取付け部５４を、ハーネス保護管本体１４のアンカークランプ取付箇所１８に対して取り付けたとき、リブ凹状部１６の管軸方向Ｄ１の両側、すなわち、アンカークランプ取付箇所１８の管軸方向Ｄ１の両側には、リブ１５がハーネス保護管本体１４に対して突出している。
【００５７】
このため、アンカークランプ５２がハーネス保護管本体１４のアンカークランプ取付箇所１８に対してスライドしようとした場合、アンカークランプ５２のハーネス取付け部５４がリブ１５に接触し、それ以上、アンカークランプ５２が前記ハーネス保護管本体１４に対して管軸方向Ｄ１にスライドすることを阻止することができる。
【００５８】
よって、ハーネス保護管１２Ａは、アンカークランプ５２を管軸方向Ｄ１にスライドすることがなく、アンカークランプ取付箇所１８において、しっかりと取り付いた状態に保つことができる。
【００５９】
また、ハーネス保護部材１０Ａは、特に、ハーネス保護部材直線箇所４１Ｌを、管軸方向Ｄ１に沿ったリブ１５を備えたハーネス保護管１２Ａで構成することにより、ワイヤーハーネス１００を直線状に配索した配索部分において、例えば、曲げ応力などの外力が作用しても、屈曲することなく、直線形状を保つことができ、ワイヤーハーネス１００をしっかりと保護することができる。
【００６０】
さらに、ワイヤーハーネス１００の直線状の配索部分が長尺になればなるほど、ハーネス保護部材直線箇所４１Ｌが長尺になり、上述したように、ハーネス保護部材１０Ａの強度を確保しつつ、軽量化や材料コストの削減を図ることができるという効果をより顕著に得ることができる。
【００６１】
また、ハーネス保護部材１０Ａは、ハーネス保護管１２Ａと蛇腹状ハーネス保護管２３とを適宜、管軸方向Ｄ１において直列に連結した構成であるため、ワイヤーハーネス１００が直線部分や屈曲部分などが組み合わさった凹凸形状の配索経路で配索される場合であっても、このようなワイヤーハーネス１００をしっかりと、且つ、効率的に保護することができる。
【００６２】
この点について詳述すると、凹凸形状の配索経路で配索されるワイヤーハーネス１００を保護する場合には、従来は、例えば、コルゲート管や成形プロテクトなどが混在する複数のハーネス保護具を用いていたため、これらハーネス保護具自体の特性に応じてや、ワイヤーハーネス１００の配索部分の形状に応じてハーネス保護具が適切に配置されていないといった事態が生じ、ワイヤーハーネス１００の配索経路においてワイヤーハーネス１００が十分に保護されない箇所が生じるという問題があった。
【００６３】
さらに、異なる種類のハーネス保護具が混在した状態であるため、車両側への取り付けがハーネス保護具ごとに異なるために、ワイヤーハーネス１００の配索作業に労力を要していた。
【００６４】
これに対して、ハーネス保護部材１０Ａでは、ワイヤーハーネス１００の配索経路のうち、直線部分、すなわち、ハーネス保護部材直線箇所４１Ｌは、形状保持性に優れたハーネス保護管１２Ａによってしっかりと保護するとともに、屈曲部分、すなわち、ハーネス保護部材屈曲箇所４１Ｒは、その屈曲部分の形状に柔軟に屈曲させて配索することができる蛇腹状ハーネス保護管２３により保護することができる。
【００６５】
よって、ハーネス保護部材１０Ａは、ワイヤーハーネス１００の配索部分の形状や、保護具の特性に応じてワイヤーハーネス１００をしっかりと保護することができる。
【００６６】
しかも、ハーネス保護部材１０Ａは、ワイヤーハーネス１００の凹凸形状の配索経路に対応して適切に配置することができるため、全体としてワイヤーハーネス保護具の部品点数の削減等を図ることができ、ワイヤーハーネス１００を効率的に保護することができる。
【００６７】
以下では、他の実施形態のハーネス保護部材１０Ｂ，１０Ｃについて説明する。  
但し、以下で説明するハーネス保護部材１０Ｂ，１０Ｃの構成のうち、上述した実施形態におけるハーネス保護部材１０Ａと同様の構成については、同一の符号を付して、その説明を省略する。
【００６８】
（第２実施形態）  
第２実施形態のハーネス保護部材１０Ｂは、図６（ａ），（ｂ），（ｃ）に示すように、管軸方向Ｄ１のアンカークランプ取付箇所１８において、ハーネス保護管本体１４の管周方向Ｄ２全体を突状とした保護管本体凸状部２５を形成している。
【００６９】
換言すると、ハーネス保護部材１０Ｂは、管軸方向Ｄ１のアンカークランプ取付箇所１８において、リブ１５の形成部分にリブ凹状部１６を構成せずに、ハーネス保護管本体１４の管周方向Ｄ２におけるリブ１５の形成部分以外の部分に保護管本体凸状部１７を形成している。
【００７０】
なお、図６（ａ）は、ハーネス保護管１２Ｂの外観図であり、図６（ｂ）は、管軸方向Ｄ１のアンカークランプ取付箇所１８にアンカークランプ５２を取り付けた状態を示すハーネス保護管１２Ｂの外観図であり、図６（ｃ）は、図６（ｂ）中のＣ−Ｃ線断面図である。
【００７１】
保護管本体凸状部１７は、ハーネス保護管本体１４に対してリブ１５の突出高さと略同じ高さにまで突出し、リブ１５の外周面と略面一に形成している。  
これにより、ハーネス保護管本体１４の外周面は、管軸方向Ｄ１に平行に形成したリブ１５と、管軸方向Ｄ１に対して直交する保護管本体凸状部１７とがアンカークランプ取付箇所１８において互いに交差する突形状となり、保護管本体凸状部１７は、アンカークランプ取付箇所１８におけるハーネス保護管本体１４の管周方向Ｄ２において、ハーネス保護管本体１４の外周面とリブ１５とによる段差を解消することができる。
【００７２】
よって、ハーネス保護部材１０Ｂは、アンカークランプ取付箇所１８において、平滑な外周面が形成され、アンカークランプ５２のバンド部５４ａを、保護管本体凸状部１７、およびリブ１５に対して管周方向Ｄ２に沿って面接触した状態でしっかりと取り付けることができる。
【００７３】
さらに、保護管本体凸状部１７は、ハーネス保護管本体１４に対して管周方向Ｄ２に沿って突出した形状となるため、該保護管本体凸状部１７自体が、リブとしての機能も発揮し、管軸方向Ｄ１に沿った形状のリブ１５とともに、ハーネス保護部材１０Ｂの形状保持機能をより一層、向上させることができる。
【００７４】
（第３実施形態）  
第３実施形態のハーネス保護部材１０Ｃは、図７に示すように、ハーネス保護部材直線箇所４１Ｌとハーネス保護部材屈曲箇所４１Ｒとのうち、ハーネス保護部材屈曲箇所４１Ｒについても、上述した蛇腹状ハーネス保護管２３で構成せずに、ハーネス保護管１２Ｃで構成している。  
なお、図７は、第３実施形態のハーネス保護部材１０Ｃのハーネス保護部材屈曲箇所４１Ｒ、及び、その周辺部分の側面図を示す。
【００７５】
ハーネス保護管１２Ｃにおけるハーネス保護管本体１４Ｃは、ワイヤーハーネス１００の配索経路の所定の屈曲部分の曲率に従って例えば、略直角に屈曲した屈曲形状に形成し、ハーネス保護部材直線箇所４１Ｌに配置したハーネス保護管１２Ａと同様に硬質の合成樹脂材料で形成している。リブ１５Ｃは、ハーネス保護管本体１４Ｃの管軸方向Ｄ１に沿った形状で形成している。
【００７６】
上述した構成のハーネス保護部材１０Ｃの特に、ハーネス保護管１２Ｃによれば、ハーネス保護管本体１４Ｃをワイヤーハーネス１００の配索経路の屈曲部分に応じた曲率の屈曲形状で構成するとともに、管軸方向Ｄ１に沿った形状のリブ１５Ｃを構成しているため、ハーネス保護部材屈曲箇所４１Ｒにおいても、薄肉化により軽量化及びコストダウンを図ることができ、蛇腹状ハーネス保護管２３と比較してハーネス保護部材屈曲箇所４１Ｒの屈曲形状を確保し、ワイヤーハーネス１００をよりしっかりと形状保持することができる。
【００７７】
この発明の構成と、上述した実施形態との対応において、
ワイヤーハーネス固定用治具は、アンカークランプに対応し、以下、同様に、
「前記ハーネス保護管本体の管軸方向における、前記ワイヤーハーネスを車体側に固定するワイヤーハーネス固定用治具を取り付ける所定の取付け部分」は、アンカークランプ取付箇所１８に対応し、
ワイヤーハーネス保護部材は、ハーネス保護部材１０Ａ，１０Ｂ，１０Ｃに対応し、
ワイヤーハーネス保護管は、ハーネス保護管１２Ａ，１２Ｂ，１２Ｃに対応し、
ワイヤーハーネス保護管本体は、ハーネス保護管本体１４に対応し、
蛇腹状ワイヤーハーネス保護管は、蛇腹状ハーネス保護管２３に対応するも、この発明は、上述した実施形態に限定せず、様々な実施形態で構成することができる。
【００７８】
例えば、図８に示すように、ハーネス保護管１２Ａ，１２Ｂ，１２Ｃに備えたリブは、ハーネス保護管本体１４の外周面１４Ｓから半径方向外側に、該ハーネス保護管本体１４の外周面１４Ｓに対して断面視三角形状に突出した断面形状で形成したリブ１５Ｄとすることができる。
【００７９】
なお、図８（ａ）は、他の実施形態のハーネス保護部材を管軸方向Ｄ１に対して直交する方向の断面で示した断面図であり、図８（ｂ）は、図８（ａ）中のＴ部拡大図を示す。
【００８０】
リブは、上述した断面形状以外にも例えば、台形、半円、半楕円形状など様々な楕円形状で形成することができる。
【００８１】
また、他の実施形態として、ハーネス保護管本体１４は、管軸方向Ｄ１の直交断面が円形状に限らず、楕円形状、多角形状など、様々な形状の直交断面で形成することができる。多角形状の場合は、例えば、三角形状、四角形状などを挙げることができ、四角形状の場合には菱形形状としてもよい。  
【符号の説明】
【００８２】
１０Ａ，１０Ｂ，１０Ｃ…ハーネス保護部材
１２Ａ，１２Ｂ，１２Ｃ…ハーネス保護管
１４…ハーネス保護管本体
１４Ｓ…ハーネス保護管本体の管外周面
１５，１５Ｄ…リブ
１６…リブ凹状部
１７…保護管本体凸状部
１８…アンカークランプ取付箇所
２３…蛇腹状ハーネス保護管
１００…ワイヤーハーネス
５２…アンカークランプ
Ｄ１…管軸方向
Ｄ２…管周方向
【図１】
0005804744.tif 000002
【図２】
0005804744.tif 000003
【図３】
0005804744.tif 000004
【図４】
0005804744.tif 000005
【図５】
0005804744.tif 000006
【図６】
0005804744.tif 000007
【図７】
0005804744.tif 000008
【図８】
0005804744.tif 000009
【図９】
0005804744.tif 000010